(57)【特許請求の範囲】
【請求項１】
複数の局側装置と、
分岐された光伝送路、及び該光伝送路の分岐先に接続される加入者側装置をそれぞれ含む複数のブランチと、
前記局側装置と接続される第１のグループと、前記ブランチの前記光伝送路と接続される第２のグループとに分けられている、複数の光通信ポートを有し、一方のグループの光通信ポートに入力された光信号を、他方のグループの、該光信号の波長に応じて定まる光通信ポートから出力する光ルーティング手段と
を含んで構成されたネットワークにおいて、未登録の加入者側装置を登録する方法であって、
前記局側装置が、前記加入者側装置に対して下り光信号を送信する第１過程と、
未登録の加入者側装置が、前記下り光信号に応答して、該下り光信号を送信したのとは別の局側装置に対して上り光信号を送信する第２過程と
を備え、
前記第１過程では、前記局側装置は、前記下り光信号として応答要求信号を送信し、
前記第２過程では、前記未登録の加入者側装置は、前記上り光信号として応答信号を送信し、
該応答信号を受け取る局側装置には応答受信予定期間が設定され、当該局側装置は、前記応答受信予定期間において、前記応答信号を受信し、
前記応答信号を受け取る局側装置は、前記ブランチ毎に設定された応答受信予定期間において、当該ブランチに属する前記未登録の加入者側装置からの応答信号を受信する
ことを特徴とする加入者側装置登録方法。
【請求項２】
前記第１過程では、前記局側装置は、１つの前記ブランチに属する前記加入者側装置に対して前記応答要求信号を送信し、
前記第１過程と前記第２過程とを、各前記ブランチに対してそれぞれ行う
ことを特徴とする請求項１に記載の加入者側装置登録方法。
【請求項３】
各前記ブランチのうち、登録済みの加入者側装置のみが属するブランチには、前記応答要求信号を送信しない
ことを特徴とする請求項１又は２に記載の加入者側装置登録方法。
【請求項４】
１つの前記局側装置が応答要求信号を送信するタイミングにおいて、他の前記局側装置は、前記加入者側装置に対して下り光信号を送信しない
ことを特徴とする請求項１〜３のいずれか一項に記載の加入者側装置登録方法。
【請求項５】
前記応答要求信号をディスカバリゲートとし、
前記応答信号をレジスタリクエストとする
ことを特徴とする請求項１〜４のいずれか一項に記載の加入者側装置登録方法。
【請求項６】
前記別の局側装置は、前記下り光信号を送信する局側装置よりも通信量が少ない、又は通信を行っていない局側装置である
ことを特徴とする請求項１〜５のいずれか一項に記載の加入者側装置登録方法。
【発明の詳細な説明】
【技術分野】
【０００１】
この発明は、複数の局側装置と、加入者側装置を含む複数のブランチとで構成されるネットワークにおける加入者側装置登録方法に関する。
【背景技術】
【０００２】
通信事業者の所有する建物（局）と加入者宅を結ぶ通信網は、アクセス系ネットワークと呼ばれる。昨今の通信容量の増大を受け、光通信を利用することにより膨大な情報量の伝送を可能とする、光アクセス系ネットワークが主流になりつつある。
【０００３】
光アクセス系ネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅にそれぞれ設けられる複数の加入者側装置（ＯＮＵ：Ｏｐｔｉｃａｌ  Ｎｅｔｗｏｒｋ  Ｕｎｉｔ）と、光スプリッタとを備えて構成される。ＯＬＴ及びＯＮＵと、光スプリッタとは、光ファイバで接続される。
【０００４】
ＯＬＴと光スプリッタの間の接続には、一芯の光ファイバが用いられる。この一芯の光ファイバは、複数のＯＮＵにより共有される。また、光スプリッタは、安価な受動素子である。このように、ＰＯＮは、経済性に優れ、また、保守も容易である。このため、ＰＯＮの導入は、急速に進んでいる。
【０００５】
ＰＯＮでは、各ＯＮＵからＯＬＴに送られる信号（以下、上り光信号と称することもある）は、光スプリッタで合波されてＯＬＴに送信される。一方、ＯＬＴから各ＯＮＵに送られる信号（以下、下り光信号と称することもある）は、光スプリッタで分波されて各ＯＮＵに送信される。なお、上り光信号と下り光信号との干渉を防ぐために、上り光信号と下り光信号には、それぞれ異なる波長が割り当てられる。
【０００６】
また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。
【０００７】
ＴＤＭ−ＰＯＮでは、ＴＤＭＡ（Ｔｉｍｅ  Ｄｉｖｉｓｉｏｎ  Ｍｕｌｔｉｐｌｅ  Ａｃｃｅｓｓ）が用いられている。ＴＤＭＡは、ＯＬＴが、各ＯＮＵの送信タイミングを管理して、異なるＯＮＵからの上り光信号同士が衝突しないように制御する技術である。
【０００８】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、ＩＥＥＥ８０２．３ａｈで標準化されている。
【０００９】
ＧＥ−ＰＯＮシステムにおいて、ＯＬＴとＯＮＵとの間の通信を行うためには、ＯＬＴにＯＮＵを登録する必要がある。ＧＥ−ＰＯＮシステムでは、１つのＯＬＴに対して、複数のＯＮＵが接続されているため、新たなＯＮＵの登録は、他の登録済みのＯＮＵとＯＬＴとの間の通信に影響することなく行われる必要がある。そのため、上記ＩＥＥＥ８０２．３ａｈ（以下、標準と称する）では、未登録のＯＮＵがＯＬＴに検出され、登録される手順（以下、ディスカバリシーケンスと称する）が規定されている。
【００１０】
ＯＬＴは、周期的にディスカバリゲートをブロードキャスト送信する。ディスカバリゲートは、ＯＮＵが登録されているか否かに関わらず全てのＯＮＵに対して送信される。ＰＯＮシステムに新たに接続されたＯＮＵは、電源がＯＮ状態になり、信号の受信が可能な状態になると、周期的にディスカバリゲートを受信する。
【００１１】
未登録のＯＮＵでは、ディスカバリゲートを受信すると、ＯＬＴに対して登録を要求するレジスタリクエストを送信する。レジスタリクエストには、各ＯＮＵの個体識別番号としてのＭＡＣアドレスが含まれている。
【００１２】
一方、ＯＬＴでは、ディスカバリウィンドウが設定されている。ＯＬＴは、このウィンドウが開いている時間の間、レジスタリクエストの受信を待つ。
【００１３】
ＯＬＴは、レジスタリクエストを受信することで、ＯＮＵのＭＡＣアドレスを認識する。ＯＬＴは、認識したＭＡＣアドレスを有するＯＮＵ宛にレジスタを送る。レジスタには、ＰＯＮシステムにおけるリンク番号（ＬＬＩＤ）が含まれている。
【００１４】
また、ＯＬＴは、レジスタの送信に続いて、送信帯域及び送信タイミングを通知して、上り光信号の送信を許可するゲートをＯＮＵに送る。
【００１５】
ゲートを受信したＯＮＵは、レジスタアック（ＡＣＫ）をＯＬＴに対して送信する。ＯＬＴがレジスタアックを受信すると、ＯＮＵの登録が完了する。すなわち、ディスカバリシーケンスが終了する（例えば、特許文献１参照）。
【００１６】
ＯＮＵが登録された後は、ＯＬＴ−ＯＮＵ間の通常の通信が行われる。
【００１７】
通常、ＰＯＮシステムでは、１つのＯＬＴが、分岐された光伝送路、及びこの光伝送路の分岐先に接続されるＯＮＵを含む１つのＰＯＮブランチを管理している。ここで、例えば１つのＰＯＮブランチに含まれるＯＮＵが少ない場合、ＯＬＴを少ないＯＮＵで共有するためコストがかかる。そこで、ＰＯＮブランチ内のＯＮＵが少ないときは、１つのＯＬＴが複数のＰＯＮブランチを管理するのが望ましい。
【００１８】
そのために、ＴＤＭ及びＷＤＭを併用することによって、１つのＯＬＴによって複数のＰＯＮブランチの管理を可能とするＰＯＮシステム（以下、ＴＤＭ／ＷＤＭ−ＰＯＮとも称する）が提案されている。
【００１９】
ＴＤＭ／ＷＤＭ−ＰＯＮでは、１又は複数のＯＬＴと、光ルーティング手段と、この光ルーティング手段を介してＯＬＴと接続された複数のＰＯＮブランチとを含んで構成されている。
【００２０】
光ルーティング手段は、複数の光通信ポートを有している。複数の光通信ポートは、ＯＬＴと接続される第１のグループと、ＰＯＮブランチの光伝送路と接続される第２のグループとに分けられている。そして、一方のグループの光通信ポートに入力された光信号は、その光信号の波長に応じて定まる、他方のグループの光通信ポートから出力される。
【００２１】
このような構成を有することによって、ＴＤＭ／ＷＤＭ−ＰＯＮでは、１つのＯＬＴは、下り光信号の送信波長を変えることにより、異なるＰＯＮブランチに対して下り光信号を送ることができる。また、ＯＮＵはＯＬＴから指示された波長の上り光信号を送ることで、特定のＯＬＴに上り光信号を送ることができる。その結果、１つのＯＬＴは、ＷＤＭ／ＴＤＭ−ＰＯＮを構成する任意のＰＯＮブランチとの間で通信が可能となる。
【先行技術文献】
【特許文献】
【００２２】
【特許文献１】特開２０１０−２７８５２５号公報
【発明の概要】
【発明が解決しようとする課題】
【００２３】
ここで、ＯＬＴは、上述したディスカバリウィンドウが開いている間において、通常の通信を停止し、ＯＮＵからの上りデータを受信しない。そのため、ディスカバリシーケンスを行うＯＬＴとＯＮＵとの間において、通信効率が低下する。
【００２４】
そこで、この発明の目的は、ＴＤＭ／ＷＤＭ−ＰＯＮにおいて、通信効率を低下させることなくディスカバリシーケンスを行うことができる加入者側装置登録方法を提供することにある。
【課題を解決するための手段】
【００２５】
上述の目的を達成するために、この発明による加入者側装置登録方法は、以下の特徴を備えている。
【００２６】
すなわち、この発明による加入者側装置登録方法は、複数のＯＬＴと、分岐された光伝送路、及びこの光伝送路の分岐先に接続されるＯＮＵをそれぞれ含む複数のブランチと、局側装置と接続される第１のグループと、ブランチの光伝送路と接続される第２のグループとに分けられている複数の光通信ポートを有し、一方のグループの光通信ポートに入力された光信号を、他方のグループの、光信号の波長に応じて定まる光通信ポートから出力する光ルーティング手段とを含んで構成されたネットワークにおいて実行される、以下の過程を備えている。
【００２７】
まず、第１過程では、ＯＬＴが、ＯＮＵに対して、下り光信号としての応答要求信号を送信する。次に、第２過程では、未登録のＯＮＵが、応答要求信号に応答して、応答要求信号を送信したのとは別のＯＬＴに対して、上り光信号としての応答信号を送信する。応答信号を受け取るＯＬＴには、応答受信予定期間が設定され、当該ＯＬＴは、応答受信予定期間において、応答信号を受信する。
【００２８】
好適には、第１過程では、ＯＬＴは、下り光信号として応答要求信号を送信し、第２過程では、未登録のＯＮＵは、上り光信号として応答信号を送信する。応答信号を受け取るＯＬＴには応答受信予定期間が設定され、このＯＬＴは、応答受信予定期間において、応答信号を受信する。そして、応答信号を受け取るＯＬＴは、ブランチ毎に設定された応答受信予定期間において、当該ブランチに属する未登録の加入者側装置からの応答信号を受信する。
【発明の効果】
【００２９】
この発明の加入者側装置登録方法では、上述したように、応答要求信号を送信するのとは別のＯＬＴに応答受信予定期間が設定され、この応答受信予定期間において応答信号が受信される。そのため、応答要求信号を送信したＯＬＴには、応答受信予定期間が設定されない。上述したディスカバリシーケンスに適用することによって、応答要求信号を送信したＯＬＴが、応答要求信号の送信後においても通信を停止することなく、上り光信号を受信することができる。従って、通信効率を低下させることなくディスカバリシーケンスを行うことができる。
【図面の簡単な説明】
【００３０】
【図１】ＴＤＭ／ＷＤＭ−ＰＯＮの概略構成図である。
【図２】上り光信号及び下り光信号の波長と、光ルーティング手段の光通信ポートとの関係の一例を示す図である。
【図３】ＯＬＴの概略構成図である。
【図４】ＯＮＵの概略構成図である。
【図５】加入者側装置登録方法を説明するためのシーケンス図である。
【図６】加入者側装置登録方法を説明するためのシーケンス図である。
【図７】ＯＮＵの登録状況のテーブルの一例である。
【発明を実施するための形態】
【００３１】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００３２】
（ＴＤＭ／ＷＤＭ−ＰＯＮ）
この発明による加入者側装置登録方法は、ＴＤＭ／ＷＤＭ−ＰＯＮで用いられる。そこで、先ず、図１を参照してＴＤＭ／ＷＤＭ−ＰＯＮの構成について説明する。
【００３３】
ＴＤＭ／ＷＤＭ−ＰＯＮ１０は、局２０内に設けられた複数のＯＬＴ１００、及び光ルーティング手段２００と、複数のＰＯＮブランチ（以下、単にブランチとも称する）３００を含んで構成されている。ＯＬＴ１００と光ルーティング手段２００との間は、光ファイバによって構成される光伝送路６００で接続されている。
【００３４】
各ブランチ３００は、光ファイバによって構成される光伝送路７００、光スプリッタ４００及びＯＮＵ５００をそれぞれ含んでいる。光伝送路７００は、光ルーティング手段２００に接続されている。また、光伝送路７００は、光スプリッタ４００によって分岐されており、光伝送路７００の分岐先にＯＮＵ５００がそれぞれ接続されている。ＯＮＵ５００は、例えば加入者宅に設置されている。
【００３５】
また、ＴＤＭ／ＷＤＭ−ＰＯＮ１０は、局２０内にスイッチング素子１１０、及び管理部１３０を備えている。
【００３６】
なお、図１に示す構成例では、光ルーティング手段２００が局２０内に設置されているが、光ルーティング手段２００は、局２０の外側に設置されても良い。また、図１では、４つのＯＬＴ１００−１〜４と４つのブランチ３００−１〜４を備える構成例を示しているが、ＯＬＴ１００及びブランチ３００の数はこれに限定されない。
【００３７】
ＯＬＴ１００は、上位ネットワークから受信した下りデータ信号と、ＯＮＵ５００を管理するための下り制御信号を、下り光信号として生成し、ＯＮＵ５００に送信する。一方、ＯＮＵ５００は、ユーザ端末から受信した上りデータ信号と、帯域の要求などを行う上り制御信号を、上り光信号として生成し、ＯＬＴ１００に送信する。なお、ＯＬＴ１００及びＯＮＵ５００の構成及び機能については、後述する。
【００３８】
光ルーティング手段２００は、例えば、光波長フィルタを並べて構成されたアレー型光導波路ルータ（ＡＷＧＲ：Ａｒｒａｙｅｄ  Ｗａｖｅｇｕｉｄｅ  Ｇｒａｔｉｎｇ  Ｒｏｕｔｅｒ）であり、光信号を入出力可能な複数の光通信ポート２１０を有している。
【００３９】
複数の光通信ポート２１０は、ＯＬＴ１００と光伝送路６００を介して接続される第１のグループと、ブランチ３００の光伝送路７００と接続される第２のグループとに分けられている。光ルーティング手段２００は、一方のグループの光通信ポートに入力された光信号を、光信号の波長に応じて定まる、他方のグループの光通信ポートから出力する。
【００４０】
なお、以下の説明では、第１のグループに含まれる光通信ポート２２０を、局側ポート２２０とも称する。また、第２のグループに含まれる光通信ポート２３０を、加入者側ポート２３０とも称する。図１に示す構成例では、第１〜第４の局側ポート２２０−１〜４は、それぞれ、第１〜第４のＯＬＴ１００−１〜４と一対一対応して接続されている。また、第１〜第４の加入者側ポート２３０−１〜４は、それぞれ、第１〜第４のブランチ３００−１〜４と一対一対応して接続されている。
【００４１】
ここで、光ルーティング手段２００を構成するＡＷＧＲでは、基準となる波長λと、λからλＦＳＲの整数倍だけ離れた波長λ＋ｎλＦＳＲは、同一の波長として扱われる（なお、ｎは０以外の整数とする）。この特性は、ＡＷＧＲの周回性と呼ばれるもので、λＦＳＲはフリースペクトラムレンジと呼ばれるものである。従って、ＡＷＧＲでは、一方のグループのある光通信ポートに上記関係を満たす波長の光信号が入力された場合、波長λにより定まる、他方のグループの光通信ポートから出力される。
【００４２】
図２に、上り光信号及び下り光信号の波長と、入出力される局側ポート２２０及び加入者側ポート２３０の各番号との関係の一例を示す。
【００４３】
なお、この実施の形態では、局側ポート２２０に入力される下り光信号は、図２に示すようにλ１〜λ４のいずれかに設定され、加入者側ポートに入力される上り光信号は、λ１〜λ４の各波長にｎλＦＳＲを加えた値に設定されている。
【００４４】
例えば、第１の局側ポート２２０−１に入力される波長λ１の下り光信号は、第１の加入者側ポート２３０−１から出力され、第１の加入者側ポート２３０−１に入力される波長λ１＋ｎλＦＳＲの上り光信号は、第１の局側ポート２２０−１から出力される。また、第１の局側ポート２２０−１に入力される波長λ２の下り光信号は、第２の加入者側ポート２３０−２から出力され、第２の加入者側ポート２３０−２に入力される波長λ２＋ｎλＦＳＲの上り光信号は、第１の局側ポート２２０−１から出力される。
【００４５】
既に説明したように、第１〜第４の局側ポート２２０−１〜４は、それぞれ、第１〜第４のＯＬＴ１００−１〜４と一対一対応して接続され、第１〜第４の加入者側ポート２３０−１〜４は、それぞれ、第１〜第４のブランチ３００−１〜４と一対一対応して接続されている。従って、各ＯＬＴ１００は、下り光信号の波長を変更することによって、複数のブランチ３００の１つのブランチを選択して、下り光信号を送信することができる。一方、各ＯＮＵ５００は、上り光信号の波長を変更することによって、複数のＯＬＴ１００の１つを選択して各々上り光信号を送信することができる。
【００４６】
管理部１３０は、ＰＯＮリンクを確立しているＯＮＵ５００、及び当該ＯＮＵ５００が属するブランチ３００の情報（ＰＯＮリンク情報）を管理している。管理部１３０は、ＰＯＮリンク情報をＲＡＭ（Ｒａｎｄｏｍ  Ａｃｃｅｓｓ  Ｍｅｍｏｒｙ）等の記憶部（図示を省略する）に読み出し及び書き換え自在に格納している。
【００４７】
また、管理部１３０は、各ＯＬＴ１００の通信状況を把握している。従って、例えば、あるＯＬＴ１００が上述したディスカバリシーケンスを行うに際して、ディスカバリゲートを送信するタイミングにおいて、そのＯＬＴ１００よりも通信量の少ない、又は通信を行っていない（スリープ状態を含む）、別のＯＬＴ１００を把握することができる。そして、後述する加入者側装置登録方法では、管理部１３０は、通信量の少ない、又は通信を行っていないＯＬＴ１００にディスカバリウィンドウを設定させる。
【００４８】
また、管理部１３０は、スイッチング素子１１０から受け取る宛先やトラフィックなどの情報と、ＰＯＮリンク情報に基づいて送信プランを作成する。また、管理部１３０は、送信プランに基づいて、波長設定信号を生成する。管理部１３０は、送信プランをスイッチング素子１１０及び各ＯＬＴ１００に通知する。波長設定信号はＯＬＴ１００に送られる。
【００４９】
スイッチング素子１１０は、上位ネットワークと各ＯＬＴ１００との通信経路を設定する。スイッチング素子１１０は、管理部１３０から通知される送信プランに基づいて、下りデータ信号を各ＯＬＴ１００に振り分けて送るとともに、各ＯＬＴ１００から送られた上りデータ信号を上位ネットワークに送る。また、上位ネットワークから送られる下りデータ信号の宛先やトラフィックなどの情報を管理部１３０に通知する。
【００５０】
（局側装置）
図３を参照して、ＯＬＴ１００の構成について説明する。この実施の形態では、ＯＬＴ１００は、電気信号処理部１５０、及び光信号処理部１７０を含んで構成されている。電気信号処理部１５０は、インタフェース１５５、電気信号送信部１５７、電気信号受信部１５９、及び制御部１６１を備えている。光信号処理部１７０は、光信号送信部１７１、光信号受信部１７３、合分波部１７５を備えている。
【００５１】
インタフェース１５５、電気信号送信部１５７及び電気信号受信部１５９は、任意好適な従来周知のＯＬＴと同様に構成できるので、ここでは詳細な説明を省略する。
【００５２】
インタフェース１５５は、上位ネットワークとの間で、スイッチング素子１１０を介して、上りデータ信号及び下りデータ信号の送受信を行う。
【００５３】
電気信号送信部１５７は、インタフェース１５５から受け取った下りデータ信号、及び制御部１６１から受け取った下り制御信号に基づいて下り電気信号を生成する。下り電気信号は、光信号送信部１７１に送られる。
【００５４】
電気信号受信部１５９は、光信号受信部１７３から受け取った上り電気信号を、上りデータ信号と上り制御信号とに分離する。上りデータ信号は、インタフェース１５５及びスイッチング素子１１０を介して上位ネットワークに送られ、上り制御信号は、制御部１６１に送られる。
【００５５】
制御部１６１は、機能手段として、信号生成手段１６３と、信号読取手段１６５と、ＯＮＵ登録手段１６７と、ブランチ状況管理手段１６９とを備えている。制御部１６１は、従来のＯＬＴと同様に構成することができる。そして、各機能手段は、制御部１６１が実行するプログラムにより実現される。また、各機能手段の処理結果等は、適宜ＲＡＭ等の記憶部（図示を省略する）に格納される。
【００５６】
信号生成手段１６３は、下り制御信号を生成する。下り制御信号としては、例えば、管理部１３０から受け取った送信プラン、ＯＮＵから受け取った要求帯域に基づいて、ＯＮＵに上り光信号の送信帯域、及び送信タイミングを指示する信号や、ディスカバリシーケンスで用いられるディスカバリゲート等がある。この実施の形態では、ＯＬＴ１００は、複数のブランチ３００と通信を行うため、下り制御信号には、上り光信号の送信波長を指示する情報等も含まれている。下り制御信号は、電気信号送信部１５７に送られる。
【００５７】
信号読取手段１６５は、上り制御信号に含まれるＭＡＣアドレスや要求帯域等の各ＯＮＵの情報を読み取る。
【００５８】
ＯＮＵ登録手段１６７は、ＰＯＮリンクを確立しているＯＮＵ５００が、複数のブランチ３００のいずれに属しているかを登録する。さらに、ＯＮＵ登録手段１６７は、自己のＯＬＴ１００が、どのブランチ３００に含まれるＯＮＵ５００とＰＯＮリンクを確立しているかを示すＰＯＮリンク情報を、スイッチング素子１１０を介して管理部１３０に通知する。
【００５９】
なお、ブランチ状況管理手段１６９については後述する。
【００６０】
光信号送信部１７１は、下り電気信号を、それぞれ下り光信号に変換する。光信号送信部１７１は、例えばＴＬＤ（Ｔｕｎａｂｌｅ  Ｌａｓｅｒ  Ｄｉｏｄｅ：可変波長光送信器）などの、波長の変更が可能な、任意好適な電気／光変換手段を有して構成されている。光信号送信部１７１は、管理部１３０から送られる波長設定信号に基づき、下り光信号を、送信すべきＯＮＵ５００が属するブランチ３００に応じた波長に設定する。下り光信号は、合分波部１７５を経て、光ルーティング手段２００に送られる。
【００６１】
光信号受信部１７３は、合分波部１７５を経て送られる上り光信号を上り電気信号に変換する。光信号受信部１７３は、例えばＰＤ（Ｐｈｏｔｏ  Ｄｉｏｄｅ：光受信器）などの任意好適な光電変換素子を備えて構成されている。ＰＤは、少なくともＯＮＵ５００が設定し得る波長帯の上り光信号を受光できるように設定されている。上り電気信号は、電気信号受信部１５９に送られる。
【００６２】
合分波部１７５は、光信号送信部１７１で生成された下り光信号を光ルーティング手段２００に送るとともに、光ルーティング手段２００から受け取った上り光信号を光信号受信部１７３に送る。合分波部１７５は、例えばＷＤＭフィルタなどの任意好適な合分波器を備えて構成されている。既に説明したように、この実施の形態では、下り光信号にはλ１〜λ４の波長帯の光が、また、上り光信号にはλ１＋ｎλＦＳＲ〜λ４＋ｎλＦＳＲの波長帯の光が用いられる。そのため、例えばＷＤＭフィルタを利用することによって、上り光信号と下り光信号とを合波及び分波することができる。
【００６３】
（加入者側装置）
図４を参照して、ＯＮＵ５００の構成について説明する。
【００６４】
図４に示すように、この実施の形態では、電気信号処理部５５０、及び光信号処理部５７０を含んでＯＮＵ５００が構成されている。
【００６５】
電気信号処理部５５０は、インタフェース５５５、バッファ部５５６、電気信号送信部５５７、電気信号受信部５５９、及び制御部５６１を備えている。また、光信号処理部５７０は、光信号送信部５７１、光信号受信部５７３、合分波部５７５を備えている。
【００６６】
インタフェース５５５、バッファ部５５６、電気信号送信部５５７及び電気信号受信部５５９は、任意好適な従来周知のＯＮＵと同様に構成できるので、ここでは詳細な説明を省略する。
【００６７】
インタフェース５５５は、ユーザ端末との間で、上りデータ信号及び下りデータ信号の送受信を行う。
【００６８】
バッファ部５５６には、インターフェース５５５から送られた上りデータ信号が格納される。バッファ部５５６は、格納されたデータ量（バッファ量）を制御部５６１に通知するとともに、制御部５６１からの指示に応答して上りデータ信号を読み出して電気信号送信部５５７に送る。
【００６９】
電気信号送信部５５７は、バッファ部５５６から受け取った上りデータ信号、及び制御部５６１から受け取った上り制御信号に基づいて上り電気信号を生成する。そして、上り電気信号を、光信号送信部５７１に送る。
【００７０】
電気信号受信部５５９は、下り電気信号を、下りデータ信号と下り制御信号とに分離する。そして、下りデータ信号を、インタフェース５５５を経てユーザ端末に送る。また、下り制御信号を制御部５６１に送る。
【００７１】
制御部５６１は、信号読取手段５６３、信号生成手段５６５、及び送信設定手段５６６を備えている。
【００７２】
信号読取手段５６３は、下り制御信号に含まれる、上り光信号の送信帯域、送信タイミング、及び送信波長を指示する情報等の、ＯＬＴとの通信を行うのに必要な情報を読み取る。
【００７３】
信号生成手段５６５は、バッファ部５５６から受け取ったバッファ量等を、ＯＬＴ１００に通知する上り制御信号を生成する。上り制御信号は、電気信号送信部５５７に送られる。
【００７４】
送信設定手段５６６は、信号読取手段５６３において読み取った、上り光信号の波長や送信タイミング等を電気信号送信部５５７を経て光信号送信部５７１に通知する。
【００７５】
光信号送信部５７１は、上り電気信号を、上り光信号に変換する。光信号送信部５７１は、例えばＴＬＤなどの、波長の変更が可能な、任意好適な電気／光変換手段を有して構成されている。上り光信号の波長は、送信設定手段５６６からの通知に基づいて設定される。そして、光信号送信部５７１で生成された上り光信号は、合分波部５７５を経て、ＯＬＴ１００に送られる。
【００７６】
光信号受信部５７３は、合分波部５７５を経て送られる下り光信号を下り電気信号に変換する。下り電気信号は、電気信号受信部５５９に送られる。光信号受信部５７３は、例えばＰＤなどの任意好適な光電変換素子５７７を備えて構成されている。ＰＤは、少なくともＯＬＴ１００が設定し得る波長帯の下り光信号を受光できるように設定されている。
【００７７】
また、光信号受信部５７３は、可変波長フィルタ５７９を備える構成とすることができる。なお、可変波長フィルタ５７９は、設計に応じて省略することができる。可変波長フィルタ５７９については後述する。
【００７８】
合分波部５７５は、上り光信号と下り光信号とを合波及び分波する、合分波部５７５は、例えばＷＤＭフィルタなどの任意好適な合分波器を備えて構成されている。既に説明したように、この実施の形態では、下り光信号にはλ１〜λ４の波長帯の光が、また、上り光信号にはλ１＋ｎλＦＳＲ〜λ４＋ｎλＦＳＲの波長帯の光が用いられる。そのため、例えばＷＤＭフィルタを利用することによって、上り光信号と下り光信号とを合波及び分波することができる。
【００７９】
次に、図１を参照して、ＯＬＴ１００からＯＮＵ５００へ送信される下り光信号、及びＯＮＵ５００からＯＬＴ１００へ送信される上り光信号の経路について説明する。
【００８０】
上位ネットワークから送られた下りデータ信号は、スイッチング素子１１０に入力される。スイッチング素子１１０は、管理部１３０から受け取った送信プランに基づき、下りデータ信号を、宛先に応じたＯＬＴ１００に送る。ＯＬＴ１００は、受け取った下りデータ信号を、管理部１３０から受け取った波長設定信号に基づく波長の下り光信号に変換する。下り光信号は、ＯＬＴ１００から、光伝送路６００を経て、光ルーティング手段２００の局側ポート２２０に送られる。光ルーティング手段２００は、局側ポート２２０毎に、下り光信号の波長に応じて定まる加入者側ポート２３０から下り光信号を出力する。加入者側ポート２３０から出力された下り光信号は、ブランチ３００の光伝送路７００を経て、ＯＮＵ５００に送られる。
【００８１】
一方、ＯＮＵ５００から送信された上り光信号は、光伝送路７００を経て、光ルーティング手段２００の加入者側ポート２３０に入力される。光ルーティング手段２００は、加入者側ポート２３０毎に、上り光信号の波長に応じて定まる局側ポート２２０から下り光信号を出力する。局側ポート２２０から出力された上り光信号は、光伝送路６００を経て、ＯＬＴ１００に送られる。ＯＬＴ１００とＯＮＵ５００は、一対一にリンクされている。ＯＮＵ５００は、下り光信号の送信元であるＯＬＴに上り光信号を送信する。
【００８２】
（加入者側装置登録方法）
図５を参照して、この実施形態の加入者側装置登録方法について説明する。ここでは、加入者装置登録方法を、上述した標準のディスカバリシーケンスに適用した場合について説明する。
【００８３】
ディスカバリシーケンスは、例えば、未登録のＯＮＵをネットワークに接続し、起動した場合に行われる。また、登録済みのＯＮＵを再起動する場合は、当該ＯＮＵは未登録となり、ディスカバリシーケンスにより再び登録される。
【００８４】
なお、ここでは、複数のＯＬＴのうちの２つのＯＬＴ（ここでは、第１及び第２のＯＬＴ）１００−１及び１００−２とブランチ３００との間におけるディスカバリシーケンスについて説明する。
【００８５】
まず、第１のＯＬＴ１００−１は、ＯＮＵ５００に対して応答要求信号（ここでは、ディスカバリゲート）を送信する。
【００８６】
ディスカバリゲートは、第１のＯＬＴ１００−１の信号生成手段１６３で下り制御信号として生成される。この下り制御信号には、ＯＮＵ５００に応答信号（ここでは、レジスタリクエスト）の送信タイミング及び送信波長を指示する情報が含まれている。下り制御信号は、電気信号送信部１５７及び光信号送信部１７１において、下り光信号に変換された後、合分波部１７５を経て、光ルーティング手段２００に送られる。
【００８７】
ここで、上述したように、下り光信号は、送信先のブランチ３００に応じて波長が設定される。そこで、管理部１３０は、光信号送信部１７１に対して、送信先のブランチ３００に対して定められた波長を設定することを指示する波長設定信号を送る。下り光信号は、波長設定信号に基づく波長で生成される。
【００８８】
また、この実施の形態では、後述する過程において、例えば、通信量が少ない又は通信を行っていない（スリープ状態を含む）ＯＬＴ１００に、未登録のＯＮＵ５００からのレジスタリクエストを受信させる。そこで、管理部１３０は、通信量が少ない又は通信を行っていないＯＬＴ（ここでは第２のＯＬＴ）１００−２を選択する。そして、管理部１３０は、レジスタリクエストが第２のＯＬＴ１００−２に送信されるように、第１のＯＬＴ１００−１の制御部１６１に通知する。その結果、信号生成手段１６３は、ディスカバリゲートが指示する、レジスタリクエストの送信波長を、レジスタリクエストが、第２のＯＬＴ１００−２に対して送信される値に設定する。さらに、管理部１３０は、第２のＯＬＴ１００−２に対して、応答受信予定期間（ここでは、ディスカバリウィンドウ）を開かせる指示を送る。
【００８９】
第１のＯＬＴ１００−１から下り光信号として送信されたディスカバリゲートは、光ルーティング手段２００を経て、ＯＮＵ５００に送られる。
【００９０】
次に、未登録のＯＮＵ５００が、ディスカバリゲートに応答して、第２のＯＬＴ１００−２に対して、登録を要求するレジスタリクエストを送信する。
【００９１】
未登録のＯＮＵ５００では、ディスカバリゲートとしての下り光信号は、合分波部５７５を経て光信号受信部５７３に送られる。光信号受信部５７３は、下り光信号を下り電気信号に変換する。変換された下り電気信号は、電気信号受信部５５９に送られる。電気信号受信部５５９は、下り電気信号を下り制御信号に復元する。復元された下り制御信号は、制御部５６１に送られる。
【００９２】
制御部５６１は、信号読取手段５６３において、下り制御信号に含まれる、レジスタリクエストの送信タイミング、及び送信波長を指示する情報を読み取る。送信設定手段５６６は、読み取ったレジスタリクエストの送信タイミングに基づき、ランダムディレイを挿入して送信タイミングを設定する。そして、設定した送信タイミングを光信号送信部５７１に通知する。また、送信設定手段５６６は、信号読取手段５６３において読み取った送信波長を光信号送信部５７１に通知する。既に説明したように、レジスタリクエストの送信波長は、第２のＯＬＴ１００−２に対して送信される値に設定される。
【００９３】
また、制御部５６１は、信号生成手段５６５において、レジスタリクエストを生成する。レジスタリクエストには、ＯＮＵの個体識別番号としてのＭＡＣアドレスが含まれている。上り制御信号は、電気信号送信部５５７に送られる。電気信号送信部５５７は、上り制御信号に基づいて上り電気信号を生成し、光信号送信部５７１に送る。光信号送信部５７１は、上り電気信号を上り光信号に変換する。上り光信号は、制御部５６１から通知された送信波長で生成される。そして、上り光信号は、制御部５６１から通知された送信タイミングで、光信号送信部５７１から送信される。上り光信号は、合分波部５７５及び光ルーティング手段２００を経て、第２のＯＬＴ１００−２に送られる。
【００９４】
次に、第２のＯＬＴ１００−２が、未登録のＯＮＵ５００から送信されたレジスタリクエストを受信する。
【００９５】
既に説明したように、第２のＯＬＴ１００−２は、管理部１３０によって選択された、通信量の少ない、又は通信を行っていないＯＬＴ１００である。そして、第２のＯＬＴ１００−２は、少なくとも、通信量が、ディスカバリゲートを送信したＯＬＴ（ここでは、第１のＯＬＴ）１００−１よりも少ないＯＬＴ１００であるのが好ましい。
【００９６】
第２のＯＬＴ１００−２では、管理部１３０からの指示に基づいて、ディスカバリウィンドウが設定されている。第２のＯＬＴ１００−２は、このディスカバリウィンドウが開いている間、ＯＮＵ５００からのレジスタリクエストの受信を待つ。なお、ＯＮＵ５００で設定されるランダムディレイの大きさは、第２のＯＬＴ１００−２におけるレジスタリクエストの受信が、ディスカバリウィンドウが開いている間にされる範囲内で設定される。
【００９７】
第２のＯＬＴ１００−２において、レジスタリクエストとしての上り光信号は、合分波部１７５を経て光信号受信部１７３に送られる。光信号受信部１７３は、上り光信号を上り電気信号に変換する。変換された上り電気信号は、電気信号受信部１５９に送られる。電気信号受信部１５９は、上り電気信号を上り制御信号に復元する。復元された上り制御信号は、制御部１６１に送られる。
【００９８】
制御部１６１は、信号読取手段１６５において、上り制御信号に含まれるＭＡＣアドレスを読み取る。ＭＡＣアドレスは、管理部１３０に通知される。
【００９９】
管理部１３０は、第２のＯＬＴ１００−２から通知されたＭＡＣアドレスを、第１のＯＬＴ１００−１に通知する。
【０１００】
次に、第１のＯＬＴ１００−１は、上述したＭＡＣアドレスを有するＯＮＵ５００に対して、ＬＬＩＤを含むレジスタ、及び送信帯域及び送信タイミングを通知して、上り光信号の送信を許可するゲートを順次に送る。ゲートを受信したＯＮＵ５００は、レジスタアックを第１のＯＬＴ１００−１に対して送信する。第１のＯＬＴ１００−１がレジスタアックを受信すると、ＯＮＵ５００の第１のＯＬＴ１００−１への登録が完了する。そして、第１のＯＬＴ１００−１のＯＮＵ登録手段１６７は、登録された情報を管理部１３０に送る。
【０１０１】
なお、ここでは、レジスタ及びゲートの送信、及びレジスタアックの受信を、第１のＯＬＴ１００−１が行う例について説明したが、この実施の形態の加入者側装置登録方法では、レジスタ、ゲート、及びレジスタアックの送受信を、第２のＯＬＴ１００−２が行っても良い。その場合には、未登録のＯＮＵ５００は、第２のＯＬＴ１００−２に登録される。
【０１０２】
このように、この実施の形態による加入者側装置登録方法では、ディスカバリゲートを送信するＯＬＴ（ここでは第１のＯＬＴ）１００−１とは別のＯＬＴ（ここでは第２のＯＬＴ）１００−２にディスカバリウィンドウが設定され、このディスカバリウィンドウにおいてレジスタリクエストが受信される。そのため、第１のＯＬＴ１００−１には、ディスカバリウィンドウが設定されない。その結果、第１のＯＬＴ１００−１が、ディスカバリゲートの送信後においても通信を停止することなく、上り光信号を受信することができる。従って、第１のＯＬＴ１００−１と各ＯＮＵ５００との間の通信効率を低下させずに、ディスカバリシーケンスを行うことができる。特に、レジスタリクエストを受信させるＯＬＴ１００として、ディスカバリシーケンス開始時点までに、ディスカバリゲートを送信する第１のＯＬＴ１００−１よりも通信量が少ない、又は通信を行っていない第２のＯＬＴ１００−２を選択することによって、ＴＤＭ／ＷＤＭ−ＰＯＮ１０全体として、通信効率の低下を抑制することができる。
【０１０３】
（ブランチの特定方法）
ここで、図１に示すように、ＴＤＭ／ＷＤＭ−ＰＯＮ１０は、複数のブランチ３００−１〜４を備えて構成されている。
【０１０４】
ＴＤＭ／ＷＤＭ−ＰＯＮ１０でのディスカバリシーケンスでは、ＯＬＴ１００は、レジスタリクエストを送信したＯＮＵ５００がどのブランチ３００に含まれているのかを特定する必要がある。そして、レジスタリクエスト受信後のディスカバリシーケンスにおいて送信する下り光信号の波長を、ＯＮＵ５００が属するブランチ３００に応じて設定する必要がある。
【０１０５】
そこで、図６を参照して、上述したこの実施の形態による加入者側装置登録方法において、未登録のＯＮＵ５００が属するブランチ３００を特定する方法について説明する。
【０１０６】
まず、第１のＯＬＴ１００−１は、１つのブランチ（ここでは、第１のブランチ）３００−１に属する各ＯＮＵ５００−１に対してディスカバリゲートを送信する。
【０１０７】
管理部は、第１のＯＬＴ１００−１が、第１のブランチ３００−１に属する各ＯＮＵ５００−１へディスカバリゲートを送信することを、第２のＯＬＴ１００−２に対して通知する。
【０１０８】
次に、ブランチ３００−１に属する未登録のＯＮＵ５００−１が、ディスカバリゲートに応答して、第２のＯＬＴ１００−２に対して、登録を要求するレジスタリクエストを送信する。
【０１０９】
次に、第２のＯＬＴ１００−２が、未登録のＯＮＵ５００−１から送信されたレジスタリクエストを受信する。
【０１１０】
第２のＯＬＴ１００−２では、第１のディスカバリウィンドウが設定されている。第２のＯＬＴ１００−２は、この第１のディスカバリウィンドウが開いている間、第１のブランチ３００−１に含まれるＯＮＵ５００−１からのレジスタリクエストの受信を待つ。ＯＮＵ５００−１で設定されるランダムディレイの大きさは、第２のＯＬＴ１００−２におけるレジスタリクエストの受信が、第１のディスカバリウィンドウが開いている間にされる範囲内で設定される。
【０１１１】
第２のＯＬＴ１００−２は、制御部１６１の信号読取手段１６５において、レジスタリクエストからＭＡＣアドレスを読み取る。ここでは、上述したように、第１のＯＬＴ１００−１は、ディスカバリゲートを第１のブランチ３００−１にのみ送信している。また、第２のＯＬＴ１００−２は、第１のブランチ３００−１に対して、ディスカバリゲートが送信されたことを、管理部１３０から通知されている。そのため、信号読取手段１６５は、読み取ったＭＡＣアドレスを有するＯＮＵ５００−１が、ブランチ３００−１に属していることを特定することができる。ブランチの特定後、制御部１６１は、ディスカバリシーケンス中のＯＮＵ５００−１が属するブランチ３００−１を管理部１３０に通知する。管理部１３０は、以降のディスカバリシーケンスにおいても、下り光信号を、未登録のＯＮＵ５００−１が属するブランチ３００−１にのみ送るように、波長を設定する。そして、設定された波長を波長設定信号によって、第１のＯＬＴ１００−１の光信号送信部１７１に指示する。
【０１１２】
後の過程は、上述した加入者側装置登録方法と同様である。すなわち、第１のＯＬＴ１００−１は、ＯＮＵ５００−１に対して、ＬＬＩＤを含むレジスタ、及び送信帯域及び送信タイミングを通知して、上り光信号の送信を許可するゲートを順次に送る。ゲートを受信したＯＮＵ５００−１は、レジスタアックを第１のＯＬＴ１００−１に対して送信する。第１のＯＬＴ１００−１がレジスタアックを受信すると、ＯＮＵ５００−１の第１のＯＬＴ１００−１への登録が完了する。そして、第１のＯＬＴ１００−１のＯＮＵ登録手段１６７は、登録された情報を管理部１３０に送る。
【０１１３】
なお、既に説明したように、レジスタ及びゲートの送信、及びレジスタアックの受信を、第１のＯＬＴ１００−１が行う例について説明したが、この実施の形態の加入者側装置登録方法では、レジスタ、ゲート、及びレジスタアックの送受信を、第２のＯＬＴ１００−２が行っても良い。その場合には、未登録のＯＮＵ５００−１は、第２のＯＬＴ１００−２に登録される。
【０１１４】
そして、以上に説明した過程を各ブランチ３００−１〜４に対してそれぞれ行う。この実施の形態では、ＴＤＭ／ＷＤＭ−ＰＯＮ１０が４つのブランチ３００−１〜４を備えている。そのため、図６に示すように、ブランチ３００−１に属するＯＮＵ５００−１の登録が終了した後、ブランチ３００−２〜４に属する未登録のＯＮＵ５００−２〜４を、同様の過程により順次に登録する。管理部１３０は、ディスカバリシーケンスの対象となるブランチ３００毎に、それぞれ定められた下り光信号の波長を切り替える。そして、設定すべき下り光信号の波長を、波長設定信号によって光信号送信部１７１に指示する。
【０１１５】
全ブランチ３００−１〜４の登録を完了することによって、ディスカバリシーケンスが終了する。制御部１６１のＯＮＵ登録手段１６７は、そのディスカバリシーケンスにおいて登録された、すなわち新たにＰＯＮリンクが確立されたＯＮＵ５００が属しているブランチ３００を登録する。そして、ＯＮＵ登録手段１６７は、登録された情報を管理部１３０に送る。この情報に基づき、管理部１３０は、以降の通常の通信におけるＯＮＵ５００−１〜４への下り光信号の波長を設定する。
【０１１６】
このように、上述したブランチの特定方法では、第２のＯＬＴ１００−２は、ブランチ３００毎に設定されたディスカバリウィンドウにおいて、対応するブランチ３００に属する未登録のＯＮＵ５００からのレジスタリクエストを受信する。その結果、第２のＯＬＴ１００−２が、未登録のＯＮＵ５００がどのブランチ３００に属しているかを特定することができる。そのため、レジスタリクエストを受信した後のディスカバリシーケンスにおいて、第１のＯＬＴ１００−１又は第２のＯＬＴ１００−２が送信する下り光信号の波長を、ブランチ３００に応じて設定することができる。
【０１１７】
ここで、この加入者側装置登録方法において、ブランチを特定する方法は、上述した例に限定されない。
【０１１８】
例えば、第１のＯＬＴ１００−１が、複数のブランチ３００に属するＯＮＵ５００に対してディスカバリゲートを送信しても良い。その場合には、未登録のＯＮＵ５００は、ディスカバリゲートで指示される、ブランチ３００毎に異なるタイミングで、第２のＯＬＴ１００−２に対してレジスタリクエストを送信する。そして、第２のＯＬＴ１００−２は、ブランチ毎に順次に設定されたディスカバリウィンドウにおいて、対応するブランチ３００に属する未登録のＯＮＵ５００からのレジスタリクエストを受信する。第２のＯＬＴ１００−２は、どのディスカバリウィンドウでレジスタリクエストを受信したかによって、そのレジスタリクエストを送信した未登録のＯＮＵ５００が属するブランチ３００を特定することができる。
【０１１９】
また、この加入者側装置登録方法において、ブランチを特定する別の方法として、第１のＯＬＴ１００−１が、ブランチ３００毎に定められた識別記号（ブランチＩＤ）を含むディスカバリゲートを生成し、ＯＮＵ５００に送信しても良い。その場合には、未登録のＯＮＵ５００は、ディスカバリゲートから読み取ったブランチＩＤを含むレジスタリクエストを、第２のＯＬＴ１００−２に対して送信する。第２のＯＬＴ１００−２は、受け取ったレジスタリクエストからブランチＩＤを読み取ることによって、そのレジスタリクエストを送信した未登録のＯＮＵ５００が属するブランチ３００を特定することができる。
【０１２０】
（加入者側装置登録方法の変形例）
図７を参照して、加入者側装置登録方法の変形例について説明する。
【０１２１】
なお、ここでは、複数のＯＬＴのうちの２つのＯＬＴ（ここでは、第１及び第２のＯＬＴ）１００−１及び２とブランチ３００−１〜４との間におけるディスカバリシーケンスについて説明する。
【０１２２】
この変形例では、上述した加入者側装置登録方法において、第１のＯＬＴ１００−１は、登録済みのＯＮＵ５００のみが属するブランチ３００を、ディスカバリシーケンスの対象から外す。
【０１２３】
そこで、上述した加入者側装置登録方法によるディスカバリシーケンスを行う前に、まず、第１のＯＬＴ１００−１では、制御部１６１のブランチ状況管理手段１６９は、各ブランチ３００に属するＯＮＵ５００の登録状況を読み出す。この登録状況は、上述した記憶部（図示せず）に格納されている。
【０１２４】
ブランチ状況管理手段１６９は、第１のＯＬＴ１００−１が管理するブランチ（ここでは、第１〜第４のブランチ）３００−１〜４に含まれるＯＮＵ５００の登録状況を管理している。図７は、ブランチ状況管理手段１６９が記憶部から読み出す、ＯＮＵ５００の登録状況のテーブルの一例である。図７に示す例では、第１のＯＬＴ１００−１が管理するブランチ３００−１〜４のうち、第２のブランチ３００−２に含まれる全ＯＮＵ５００−２がＯＬＴ−１に登録されている。すなわち、第２のブランチ３００−２には、このブランチ３００−２に収容可能な数のＯＮＵ５００が第１のＯＬＴ１００−１に登録されている。また、他のブランチ３００−１、３、及び４は、登録済みのＯＮＵ５００の数が、各収容可能数に達していない。
【０１２５】
次に、第１のＯＬＴ１００−１は、ブランチ状況管理手段１６９において、ＯＮＵ５００の登録状況に基づいて、ディスカバリシーケンスを行うブランチ３００を判別する。ここでは、属するＯＮＵ５００−２が全て登録済みである第２のブランチ３００−２を、ディスカバリシーケンスの対象から外す。従って、第１のＯＬＴ１００−１は、第２のブランチ３００−２には、ディスカバリゲートを送信しない。そして、判別結果に基づいて、ディスカバリシーケンスの対象となるブランチ（ここでは、第１、第３、及び第４のブランチ）３００−１、３、及び４に対して、ディスカバリゲートを送信し、ディスカバリシーケンスを開始する。ディスカバリシーケンスは、上述した加入者側装置登録方法と同様である。
【０１２６】
既に説明したように、ディスカバリシーケンスを終了すると、制御部１６１のＯＮＵ登録手段１６７は、そのディスカバリシーケンスにおいて登録された、すなわち新たにＰＯＮリンクが確立されたＯＮＵ５００が属しているブランチ３００を登録する。この変形例では、ＯＮＵ登録手段１６７に登録された情報をブランチ状況管理手段１６９に送る。そして、新たに、全ＯＮＵ５００が登録済みとなったブランチ３００がある場合には、ブランチ状況管理手段１６９が、上述した登録状況のテーブル（図７）を更新する。
【０１２７】
このように、加入者側装置登録方法の変形例では、第１のＯＬＴ１００−１は、各ブランチ３００−１〜４のうち、登録済みのＯＮＵ５００のみが属するブランチ３００をディスカバリシーケンスの対象から外し、ディスカバリゲートを送信しない。その結果、ディスカバリシーケンスを、より短時間で終了することができる。
【０１２８】
ここで、ＴＤＭ／ＷＤＭ−ＰＯＮ１０において、複数のＯＬＴ１００が、複数のブランチ３００と接続されている場合には、あるＯＬＴ１００から送信されるディスカバリゲートが、他のＯＬＴ１００から送信される下り光信号と干渉するのを防止する必要がある。
【０１２９】
そこで、管理部１３０は、このような干渉を防止するために、各ＯＬＴ１００の下り光信号の送信タイミングを管理する。また、管理部１３０は、ディスカバリシーケンス周期を設定する。
【０１３０】
すなわち、管理部１３０は、１つのＯＬＴ１００に対して、ディスカバリゲート送信信号を送る。ディスカバリゲート送信信号を受け取ったＯＬＴ１００は、ＯＮＵ５００に対してディスカバリゲートを送信し、上述したディスカバリシーケンスを開始する。ディスカバリゲートを送信すると、ＯＬＴ１００は、管理部１３０に対して、ディスカバリゲート送信完了信号を送る。
【０１３１】
また、管理部１３０は、１つのＯＬＴ１００に対して、ディスカバリゲート送信信号を送信するタイミングで、他のＯＬＴ１００に対して下り光信号停止を指示する。下り光信号停止の指示を受け取ったＯＬＴ１００は、ＯＮＵ５００に対する下り光信号の送信を停止する。そして、管理部１３０は、ディスカバリゲート送信完了信号を受信した後、下り光信号の送信を停止していたＯＬＴ１００に対して、下り光信号再開を指示する。下り光信号再開の指示を受け取ったＯＬＴ１００は、ＯＮＵ５００に対する下り光信号の送信を再開する。
【０１３２】
このように、１つのＯＬＴ１００がディスカバリゲートを送信するタイミングにおいて、他のＯＬＴ１００の下り光信号の送信を停止することによって、ディスカバリゲートと他の下り光信号とが干渉するのを防止できる。
【０１３３】
さらに、管理部１３０は、各ＯＬＴ１００−１〜４に対して、任意好適に設定されたディスカバリシーケンス周期に基づいて、例えば順次にディスカバリシーケンスを行わせる。その結果、各ＯＬＴ１００のディスカバリシーケンスが干渉するのを防止できる。
【０１３４】
また、複数のＯＬＴ１００が、重複して同じブランチ３００を管理している場合には、１つのＯＮＵ５００が、異なるＯＬＴ１００からの下り光信号を受け取ることがある。これを防止するために、上述した可変波長フィルタ５７９を利用することができる。
【０１３５】
ＯＮＵ５００の光信号受信部５７３に可変波長フィルタ５７９を設けた場合には、下り光信号は、可変波長フィルタ５７９を経て光電変換素子５７７に送られる。
【０１３６】
可変波長フィルタ５７９は、特定の波長の下り光信号のみを通過させるように通過帯域が設定される。この実施の形態では、ＴＤＭ／ＷＤＭ−ＰＯＮ１０が、４つのＯＬＴ１００−１〜４を備えており、ＯＮＵ５００は、λ１、λ２、λ３、又はλ４のいずれかの波長の下り光信号を受け取る（図２参照）。そこで、可変波長フィルタ５７９の通過帯域は、λ１、λ２、λ３、又はλ４のいずれかの波長に設定される。その結果、所望のＯＬＴ１００からの下り光信号のみを受け取ることができる。
【０１３７】
なお、可変波長フィルタ５７９を設けると、設定された波長の下り光信号以外を受け取ることができない。従って、ディスカバリシーケンスにおいて、ＯＬＴ１００からのディスカバリゲートを受け取れない可能性がある。そこで、可変波長フィルタ５７９は、制御部５６１から一定の周期で送られる通過帯域切り替え信号を受け取ることによって、通過帯域をλ１、λ２、λ３、及びλ４の波長で順次切り替える。その結果、ＯＮＵ５００は、各ＯＬＴ１００からの下り光信号を、順次に受け取り可能な状態となる。例えば、特定のＯＬＴ（例えば第１のＯＬＴ）１００−１のディスカバリシーケンスの周期と同期させて、可変波長フィルタ５７９が通過させる下り光信号の帯域を切り替える。その場合には、あるタイミングにおいて、ＯＬＴ１００−１から送られた下り光信号が可変波長フィルタ５７９を通過するとき、ＯＮＵ５００は、ＯＬＴ１００−１からのディスカバリゲートを受け取ることができる。
【符号の説明】
【０１３８】
１０：ＴＤＭ／ＷＤＭ−ＰＯＮ
１００：局側装置（ＯＬＴ）
１１０：スイッチング素子
１３０：管理部
１５０、５５０：電気信号処理部
１５５、５５５：インタフェース
１５７、５５７：電気信号送信部
１５９、５５９：電気信号受信部
１６１、５６１：制御部
１６３、５６５：信号生成手段
１６５、５６３：信号読取手段
１６７：ＯＮＵ登録手段
１６９：ブランチ状況管理手段
１７０、５７０：光信号処理部
１７１、５７１：光信号送信部
１７３、５７３：光信号受信部
１７５、５７５：合分波部
２００：光ルーティング手段
２１０：光通信ポート
３００：ブランチ
４００：光スプリッタ
５００：加入者側装置（ＯＮＵ）
５５６：バッファ部
５６６：送信設定手段
５７９：可変波長フィルタ
【図１】
0005853822.tif 000002
【図２】
0005853822.tif 000003
【図３】
0005853822.tif 000004
【図４】
0005853822.tif 000005
【図５】
0005853822.tif 000006
【図６】
0005853822.tif 000007
【図７】
0005853822.tif 000008